(57)【要約】【課題】  オーガ連結ホースとケーシングオーガのカバーのブラケットとの干渉を避けることによりホースの損傷を防ぐことができるケーシングオーガのカバーを提供する。  【解決手段】内部にスクリューオーガ１２を備えた円筒状のケーシング１１の側面に構成された複数の排土口１３の周囲を覆う上下に伸縮自在なケーシングのカバー１５において、上記カバー１５の上端にケーシング１１に対してスライド自在なブラケット２０を、ケーシング１１の上部でオーガ連結ホース５と干渉しない位置に取り付けた。【選択図】図２
2006037376.tif 000002
【特許請求の範囲】
【請求項１】
内部にスクリューオーガを備えた円筒状のケーシングの側面に構成された複数の排土口の周囲を覆う上下に伸縮自在なケーシングのカバーにおいて、
上記カバーの上端のブラケットをケーシングに対してスライド自在に構成したことを特徴とするケーシングオーガのカバー。
【発明の詳細な説明】
【技術分野】
【０００１】
本発明は、内部にスクリューオーガを備えた円筒状のケーシングに装着して使用するもので、掘削した排土の飛散を防止するケーシングオーガのカバーに関するものである。
【背景技術】
【０００２】
杭圧入の際に地盤の状態に応じてケーシングオーガを備えた圧入機を用いることがある。この場合、オーガの掘削に伴い地面近くの排土口から土砂が排出されるが、排出しきれなかった土砂が上部の排土口から落下することがあった。これを防ぐために特許文献１の考案が提案されていた。
【特許文献１】実用新案登録第３０６６１２１号
【０００３】
上記考案は、円筒状のケーシングと、その下端にスクリューオーガを備え、上記ケーシングには上下方向に沿って複数の排土口が形成され、かつ地盤より上のケーシングの周囲の少なくとも排土口の部分を、排土口を閉塞せずに囲って覆う上下に伸縮自在なカバーが設けられたケーシングオーガーとそれを備えた圧入機である。
【０００４】
上記従来例では、ケーシング内に溜まった土砂がケーシングの上部の排土口から飛散することを防止することができる。
しかし、カバーの上端部がケーシングの上端部に取り付けられていたため、オーガ連結ホースがカバー上端に位置する取付用ブラケットと干渉し、そのため上記ホースが擦れて損傷していた。
また、カバーが長くなるためコストがかかる上に、折りたたんだ場合の折りたたみ寸法も長くなり、その分ケーシングの長さも長くする必要があった。
さらに、カバーの上端が固定されているため、杭の圧入に伴いケーシングが下降してきてカバーが正常に折りたたまれずに枠体が変形、損傷するという問題もあった。
【発明の開示】
【発明が解決しようとする課題】
【０００５】
本発明は上記の点に鑑みなされたものであり、オーガ連結ホースとカバー上端へ取り付けるためのブラケットとの干渉を避けることによりホースの損傷を防ぐことができ、カバーの長さを短くすることでコストを抑制し、さらにケーシングの下降に伴うカバーの折りたたみを正常に行えるケーシングオーガのカバーを提供するものである。
【課題を解決するための手段】
【０００６】
本発明の要旨とするところは、内部にスクリューオーガを備えた円筒状のケーシングの側面に構成された複数の排土口の周囲を覆う上下に伸縮自在なケーシングのカバーにおいて、上記カバーの上端のブラケットをケーシングに対してスライド自在に構成したことにある。
【発明の効果】
【０００７】
本発明は上記の如き構成であるため、オーガ連結ホースとカバー上端へ取り付けるためのブラケットとの干渉を避けることによりホースの損傷を防ぐことができるうえに、カバーの長さを短くしてコストを押さえることができる。
さらに、カバーの上端がケーシングに対してスライド自在に固定されているため、ケーシングが下降してきてカバーが折りたたまれたときに枠体を変形、損傷させないと共に、ケーシングにジャバラを取り付けた状態で運搬可能となった。そのため、ジャバラ運搬用入れ物が不要になり、現場での組み立て作業が簡略化できる等の効果を奏する。
【発明を実施するための最良の形態】
【０００８】
本発明を実施するための最良の形態は、内部にスクリューオーガを備えた円筒状のケーシングの側面に構成された複数の排土口の周囲を囲って覆う上下に伸縮自在なケーシングのカバーにおいて、上記カバーの上端に、ケーシングに対してスライド自在なブラケットを、ケーシングの上部でオーガ連結ホースと干渉しない位置に取り付けたケーシングオーガのカバーである。
【実施例】
【０００９】
本発明の一実施例を図に基づいて説明する。
図１は本発明の一実施例を示す側面図、図２は同正面図、図３はケーシングが下降した状態の正面図、図４はケーシングが最下端まで下降した状態の正面図、図５はブラケットの平面図、図６はブラケットの側面図及び図７はブラケットのカバーへの取付状態を説明する図５の一部を切り欠いたＡ―Ａ線断面図である。
【００１０】
図示のように、圧入機１の前端のチャック３内部には、後述のように排土の飛散を防止するための下部カバー７が固定されていて、このチャック３にケーシング１１が挿通されている。
このケーシング１１の内部にはスクリューオーガ１２が挿通されていると共に、側面には多数の排土口１３が一定間隔を有して設けられている。
また、圧入機１の後部に設けたリール４には複数のオーガ連結ホース５が巻装されていて、このオーガ連結ホース５はケーシング１１の上端を経て油圧モーター（図示せず）に連結している。
【００１１】
上記ケーシング１１にはカバー１５が取り付けられている。このカバー１５は上下に伸縮自在ないわゆる蛇腹状の構成であり、ケーシング１１の側面に構成された複数の排土口１３の周囲を囲って覆っている。
そして、上記カバー１５の上端には、ケーシング１１に対して上下方向にスライド自在なブラケット２０が固定されていて、このブラケット２０にはケーシング１１の所定位置で止まるように、ケーシング１１側にストッパー２８が設けられている。
【００１２】
上記ブラケットの構成を図５ないし図７に基づいて説明する。
ブラケット２０は、略半円弧状に湾曲した棒状の枠体２１と、この枠体２１の内側に固定され前方に湾曲部２２ａを構成した当接板２２と、枠体２１の両先端に立設した２個のガイド部２３からなる。
【００１３】
上記一対のガイド部２３は、枠体２１の先端に平行に対向して配置されていて、ガイド部２３の内側にはそれぞれ、ローラー２４が一定の幅を有して突出していて、ガイド溝２９を構成している。このガイド溝２９がケーシング１１の突条１４に嵌合するのである。
【００１４】
上記のように構成した本実施例の作用を説明する。
まず、図１および図２に示すように、圧入機１の前端のチャック３にケーシング１１を挿入して固定する。このときケーシング１１の上部にカバー１５の上端がブラケット２０によってあらかじめ取り付けられており、ストッパー２８によって落下しないように係止されている。
この場合、ブラケット２０はオーガ連結ホース５と干渉しない位置に取り付けられる。そして、カバー１５の下端部はチャック３に固定された下部カバー７の上部に固定されている。従って、この状態ではカバー１５は最も伸張した状態でケーシング１１の排土口１３を覆っている。
【００１５】
その後、杭及び矢板を圧入するために地盤を掘削するに従いケーシング１１の位置も下降していく。このときブラケット２０は前端に構成したガイド溝２９によってケーシング１１の突条１４に摺動自在に嵌合し、かつストッパー２８によって下降を制御されているから、ケーシング１１と共に下降していくのである。
【００１６】
これに伴いカバー１５も縮小して図３の状態となる。このとき掘削によって生じた排土の大部分は、地盤に近い最も下方の排土口より排出され下部カバー７に遮られて外部に排出されず、カバー１５と下部カバー７との間を下方へ落下していく。残りの排土はその上の排土口より排出されるが、カバー１５によって外部には排出されず、上記と同様に下方へと導かれていく。
このようにして、杭及び矢板を予め決められた深さまで圧入すると図４のようにカバー１５は最も縮小した状態となり、同時にケーシング１１のストッパー２８も下降していき、ケーシング１１はブラケット２０の上端位置まで下降する。
【００１７】
上記のようにケーシング１１の下降に伴ってカバー１５も下降していくから、オーガ連結ホース５とブラケット２０の距離は一定距離に保たれて、オーガ連結ホース５との干渉を避けることができ、オーガ連結ホース５の損傷を防ぐことができるのである。
【００１８】
他の実施例としては、上記ストッパ−２８に代えてワイヤー（図示せず）を設けてもよい。すなわち、ケーシング１１の上端からカバー１５の上端にワイヤーを掛け渡し、カバー１５の落下を防止すると共に、ケーシング１１の下降に伴ってワイヤーも繰り出していくことにより、上記ストッパー２８と同様の働きをするのである。
【００１９】
以上のように、上記各実施例によればオーガ連結ホース５とカバー１５上端のブラケット２０との干渉を避けることによりオーガ連結ホース５の損傷を防ぐことができると共に、予備品の携帯が不要となり、カバー１５の長さが５ｍ短縮できコストダウが図れた。
また、カバー１５を折りたたんだ場合の折りたたみ寸法も短くなり、その分ケーシング１１の長さも短くなった。
さらに、カバー１５の上端がスライド自在に取り付けられているため、ケーシング１１が下降してきてカバー１５が折りたたまれたときに枠体を変形、損傷させることもなくなった。
【００２０】
さらに、従来ではオーガモータ運搬時にブラケット２０と吊ワイヤの干渉を回避するために、カバー１５を取り外していた。本実施例ではブラケット２０がスライド式になったため、ケーシング１１にカバー１５を取り付けた状態で運搬可能となった。そのため、カバー１５の運搬用具が不要になり、現場での組み立て作業が簡略化できる等の効果を奏するのである。
【図面の簡単な説明】
【００２１】
【図１】本発明の一実施例を示す側面図
【図２】本発明の一実施例を示す正面図
【図３】ケーシングが下降した状態の正面図
【図４】ケーシングが最下端まで下降した状態の正面図
【図５】ブラケットの平面図
【図６】ブラケットの側面図
【図７】一部を切り欠いた図５のＡ―Ａ線断面図
【符号の説明】
【００２２】
１   圧入機
５  オーガ連結ホース
１１  ケーシング
１２  スクリューオーガ
１３  排土口
１５  カバー
２０  ブラケット
【図１】
2006037376.tif 000003
【図２】
2006037376.tif 000004
【図３】
2006037376.tif 000005
【図４】
2006037376.tif 000006
【図５】
2006037376.tif 000007
【図６】
2006037376.tif 000008
【図７】
2006037376.tif 000009